(57)【要約】【課題】デジタルカメラやカメラ付き携帯電話などの画像撮影装置において、撮影時や撮影後に撮影画像と共に撮影位置及び撮影姿勢を分かりやすく表示する同時表示処理方法を提供すること。【解決手段】画像撮影装置１において撮影画像と撮影情報を同時に表示する同時表示処理方法であって、ＧＰＳ情報など位置情報を取得する工程と方位や仰角など方向情報を取得する工程を実行する。そして、コンピュータの同時表示処理手段が、撮影画像を表示手段から表示する処理工程と、位置情報及び方向情報を含む撮影情報を、その撮影画像と共に表示する。特に、その際、撮影情報の一部をアナログ針式で表示することができる。【選択図】図１
2011193169.tif 000002
【特許請求の範囲】
【請求項１】
デジタルカメラの機構を備えた画像撮影装置において撮影画像と撮影情報を同時に表示する同時表示処理方法であって、
位置情報取得手段が、該画像撮影装置の位置情報を取得する工程と、
方向情報取得手段が、該画像撮影装置の向いている方向情報を取得する工程と
を、同時又は所定の順序で実行処理し、
コンピュータの同時表示処理手段が、
カメラ手段で撮影中の撮影画像、又は過去に撮影されて記憶手段に格納されている撮影画像を表示手段から表示する処理工程と、
該位置情報及び該方向情報を含む撮影情報を表示する処理工程と
を同時に実行処理する
ことを特徴とする撮影画像と撮影情報の同時表示処理方法。
【請求項２】
前記撮影情報を表示する処理工程において、
該撮影情報を、前記撮影画像と重ねて表示するか、又は該撮影画像の近傍に表示し、その際、少なくとも該撮影情報の一部をアナログ針式で表示する
請求項１に記載の同時表示処理方法。
【請求項３】
前記撮影画像と撮影情報の同時表示処理方法において、
前記位置情報が緯度及び経度の情報であって、前記同時表示処理手段が、該位置情報を数値で表示すると共に、
前記方向情報が該画像撮影装置の方位又は仰角の少なくともいずれかであって、該方向情報をアナログ針式で表示する
請求項２に記載の撮影画像と撮影情報の同時表示処理方法。
【請求項４】
デジタルカメラの撮影画像と撮影情報とを同時に表示する同時表示処理方法であって、
コンピュータの同時表示処理手段が、
記憶手段に格納されている撮影画像を表示手段から表示する処理工程と、
画像撮影時に記録した位置情報及び方向情報を読み出し、該位置情報及び該方向情報を含む撮影情報を表示する処理工程と
を同時に実行処理する
ことを特徴とする撮影画像と撮影情報の同時表示処理方法。
【請求項５】
前記撮影情報を表示する処理工程において、
該撮影情報を、前記撮影画像と重ねて表示するか、又は該撮影画像の近傍に表示し、その際、少なくとも該撮影情報の一部をアナログ針式で表示する
請求項４に記載の同時表示処理方法。
【請求項６】
前記撮影画像と撮影情報との同時表示処理方法において、
前記位置情報が緯度及び経度の情報であって、前記同時表示処理手段が、該位置情報を数値で表示すると共に、
前記方向情報が該画像撮影装置の方位又は仰角の少なくともいずれかであって、該方向情報をアナログ針式で表示する
請求項５に記載の撮影画像と撮影情報の同時表示処理方法。
【請求項７】
前記同時表示処理方法において、
コンピュータの配列設定手段が、ユーザが入力手段から入力した前記撮影画像の表示順序に係る配列条件を受理し、該配列条件に従って、少なくとも前記方向情報に基づいて該撮影画像の配列を設定する処理工程を有し、
前記同時表示処理手段において該撮影画像を表示する際に、設定された順序で表示する
請求項１ないし６のいずれかに記載の撮影画像と撮影情報の同時表示処理方法。
【請求項８】
前記同時表示処理方法において、
コンピュータの検索手段が、ユーザが入力手段から入力した前記撮影画像の検索条件を受理し、少なくとも前記位置情報又は前記方向情報について検索条件に一致する該撮影画像を抽出する処理工程を有し、
前記同時表示処理手段において該撮影画像を表示する際に、抽出された該撮影画像を表示する
請求項１ないし７のいずれかに記載の撮影画像と撮影情報の同時表示処理方法。
【請求項９】
デジタルカメラの機構を備え、撮影画像と撮影情報を同時に表示可能な画像撮影装置であって、
該画像撮影装置の位置情報を取得する位置情報取得手段と、
該画像撮影装置の向いている方向情報を取得する方向情報取得手段と
を備えて、同時又は所定の順序で位置情報及び方向情報を取得すると共に、
カメラ手段で撮影中の撮影画像、又は過去に撮影されて記憶手段に格納されている撮影画像と、該位置情報及び該方向情報を含む撮影情報とを同時に表示手段から表示する同時表示処理手段
を備える
ことを特徴とする画像撮影装置。
【請求項１０】
前記同時表示処理手段において、
前記撮影情報を、前記撮影画像と重ねて表示するか、又は該撮影画像の近傍に表示し、その際、少なくとも該撮影情報の一部をアナログ針式で表示する
請求項９に記載の画像撮影装置。
【請求項１１】
前記画像撮影装置において、
前記位置情報取得手段が緯度及び経度を取得し、前記同時表示処理手段が、該位置情報を数値で表示すると共に、
前記方向情報取得手段が該画像撮影装置の方位又は仰角の少なくともいずれかを取得し、該同時表示処理手段が、前記方向情報をアナログ針式で表示する
請求項１０に記載の画像撮影装置。
【請求項１２】
デジタルカメラの撮影画像と撮影情報とを同時に表示する装置において、
記憶手段に格納されている撮影画像と、
画像撮影時に記録した位置情報及び方向情報を読み出し、該位置情報及び該方向情報を含む撮影情報と
を同時に表示手段から表示する同時表示処理手段を備えた
ことを特徴とする装置。
【請求項１３】
前記同時表示処理手段が、
前記撮影情報を、前記撮影画像と重ねて表示するか、又は該撮影画像の近傍に表示し、その際、少なくとも該撮影情報の一部をアナログ針式で表示する
請求項１２に記載の装置。
【請求項１４】
前記同時表示処理手段が、
前記位置情報が緯度及び経度の情報であって、前記同時表示処理手段が、該位置情報を数値で表示すると共に、
前記方向情報が該画像撮影装置の方位又は仰角の少なくともいずれかであって、該方向情報をアナログ針式で表示する
請求項１３に記載の装置。
【請求項１５】
ユーザが入力手段から入力した前記撮影画像の表示順序に係る配列条件を受理し、該配列条件に従って、少なくとも前記方向情報に基づいて該撮影画像の配列を設定する配列設定手段を備え、
前記同時表示処理手段において該撮影画像を表示する際に、設定された順序で表示する
請求項１２ないし１４のいずれかに記載の装置。
【請求項１６】
ユーザが入力手段から入力した前記撮影画像の検索条件を受理し、少なくとも前記位置情報又は前記方向情報について検索条件に一致する該撮影画像を抽出する検索手段を備え、
前記同時表示処理手段において該撮影画像を表示する際に、抽出された該撮影画像を表示する
請求項１２ないし１５のいずれかに記載の装置。
【発明の詳細な説明】
【技術分野】
【０００１】
本発明は、撮影画像と共に撮影位置及び撮影方向を分かりやすく表示する同時表示処理方法と、その処理方法を実行する装置に係り、特にカメラ機能を備えた携帯電話やモバイル端末における処理方法に関するものである。
【背景技術】
【０００２】
近年、携帯電話端末の高機能化が進んでおり、ほとんどの機種においてインターネットに接続するデータ通信機能や、デジタルカメラと同様の機能を備えたカメラ機能を備えている。さらに、端末位置をＧＰＳによって測定する位置測定機能や、端末の傾き等を検出する機能を備える機種もある。
【０００３】
カメラ機能を用いて、撮影した画像をインターネット上のサーバ装置にアップロードすることは画像掲示板などにおいてしばしば行われている。さらに本件発明者は、携帯電話端末の位置測定機能や端末の傾きを検出する機能を利用して、撮影した写真と、撮影位置、撮影の方位、仰角などをサーバ装置に送ることを提案している（非特許文献１）。
このようなシステムを用いると、サーバ装置に格納する地図と、写真を組み合わせて、地図上の各地点からどのような風景をみることができるのか、簡易に表示することができる。本件出願人による特許文献１をはじめ、インターネットのサーバ上で、地図情報と撮影画像を重ねて表示する方法は一般的である。
【０００４】
一方、携帯電話やデジタルカメラ上では、撮影時に計測した撮影位置や撮影方向の情報は、撮影データとして画像と共に記録され、数値データとして参照することができる。しかし、緯度・経度の数値や、仰角の値のままでは、直感的に把握しにくく、計測機能を十分に活用できていない問題がある。
【０００５】
また、上記の地図上に画像を配置して表示する構成では、例えば撮影した向きを示す直線を立体的に表示することで、撮影画像とその位置、向きを感覚的に分かりやすく表示した技術が提案されている。
しかし、従来の技術では、撮影時の向きを後から確認することができるにとどまり、撮影時に位置や向きを確認しながら撮影するための技術は提供されていなかった。
【先行技術文献】
【特許文献】
【０００６】
【特許文献１】特開２０１０−３９５８３号公報
【非特許文献】
【０００７】
【非特許文献１】Rieko Kadobayashi, A Gaze-based Guidance System based on aReal-world 3D Photo Logging System, in Proceedings of the Joint Workshop MobileInteraction with the Real World and 5th Workshop on "HCI in MobileGuides",pp. 37-40, 2007年9月
【発明の概要】
【発明が解決しようとする課題】
【０００８】
本発明は、上記従来技術の有する問題点に鑑みて創出されたものであり、デジタルカメラやカメラ付き携帯電話などの画像撮影装置において、撮影時や撮影後に撮影画像と共に撮影位置及び撮影姿勢を分かりやすく表示する同時表示処理方法を提供することを目的とする。
【課題を解決するための手段】
【０００９】
上記課題を解決するため、本発明は次のような構成を用いる。
すなわち、デジタルカメラの機構を備えた画像撮影装置において撮影画像と撮影情報を同時に表示する同時表示処理方法を提供する。同方法において、まず次の２つの工程、
（Ｓ１）位置情報取得手段が、画像撮影装置の位置情報を取得する工程と、
（Ｓ２）方向情報取得手段が、画像撮影装置の向いている方向情報を取得する工程とを、同時又は所定の順序で実行処理する。
その後、コンピュータの同時表示処理手段が、
（Ｓ３）カメラ手段で撮影中の撮影画像、又は過去に撮影されて記憶手段に格納されている撮影画像を表示手段から表示する処理工程と、
（Ｓ４）該位置情報及び該方向情報を含む撮影情報を表示する処理工程と
を同時に実行処理する。
【００１０】
特に、上記の撮影情報を表示する処理工程において、撮影情報を、撮影画像と重ねて表示するか、又は撮影画像の近傍に表示し、その際、少なくとも撮影情報の一部をアナログ針式で表示する構成が好ましい。
【００１１】
上記の同時表示処理方法において、位置情報が緯度及び経度の情報であって、同時表示処理手段が、位置情報を数値で表示すると共に、上記の方向情報が画像撮影装置の方位又は仰角の少なくともいずれかであって、方向情報をアナログ針式で表示する構成でもよい。
【００１２】
本発明は、デジタルカメラの撮影画像と撮影情報とを同時に表示する同時表示処理方法を提供することもできる。本方法において、コンピュータの同時表示処理手段が、
（Ｓ５）  記憶手段に格納されている撮影画像を表示手段から表示する処理工程と、
（Ｓ６）  画像撮影時に記録した位置情報及び方向情報を読み出し、該位置情報及び該方向情報を含む撮影情報を表示する処理工程と
を同時に実行処理することを特徴とする。
【００１３】
上記撮影情報を表示する処理工程において、撮影情報を、撮影画像と重ねて表示するか、又は撮影画像の近傍に表示し、その際、少なくとも該撮影情報の一部をアナログ針式で表示する構成が好ましい。
【００１４】
上記の撮影画像と撮影情報との同時表示処理方法において、位置情報が緯度及び経度の情報であって、同時表示処理手段が、位置情報を数値で表示すると共に、方向情報が画像撮影装置の方位又は仰角の少なくともいずれかであって、方向情報をアナログ針式で表示することもできる。
【００１５】
上記の同時表示処理方法にさらに次の工程を備えてもよい。
（Ｓ７）コンピュータの配列設定手段が、ユーザが入力手段から入力した上記の撮影画像の表示順序に係る配列条件を受理し、配列条件に従って、少なくとも上記の方向情報に基づいて撮影画像の配列を設定する処理工程
を有し、上記の同時表示処理手段において撮影画像を表示する際に、設定された順序で表示する。
【００１６】
上記の同時表示処理方法にさらに次の工程を備えてもよい。
（Ｓ８）コンピュータの検索手段が、ユーザが入力手段から入力した上記の撮影画像の検索条件を受理し、少なくとも位置情報又は方向情報について検索条件に一致する撮影画像を抽出する処理工程
を有し、上記の同時表示処理手段において撮影画像を表示する際に、抽出された撮影画像を表示する。
【００１７】
本発明は、デジタルカメラの機構を備え、撮影画像と撮影情報を同時に表示可能な画像撮影装置として提供することもできる。
すなわち、画像撮影装置の位置情報を取得する位置情報取得手段と、画像撮影装置の向いている方向情報を取得する方向情報取得手段とを備えて、同時又は所定の順序で位置情報及び方向情報を取得する。
さらに、カメラ手段で撮影中の撮影画像、又は過去に撮影されて記憶手段に格納されている撮影画像と、位置情報及び方向情報を含む撮影情報とを同時に表示手段から表示する同時表示処理手段を備えた画像撮影装置を提供する。
【００１８】
その際、位置情報及び方向情報を含む撮影情報を、撮影画像と重ねて表示するか、又は撮影画像の近傍に表示し、その際、少なくとも撮影情報の一部をアナログ針式で表示することもできる。
【００１９】
上記の画像撮影装置において、上記の位置情報取得手段が緯度及び経度を取得し、上記の同時表示処理手段が、位置情報を数値で表示すると共に、方向情報取得手段が画像撮影装置の方位又は仰角の少なくともいずれかを取得し、同時表示処理手段が、方向情報をアナログ針式で表示する構成でもよい。
【００２０】
また、本発明はデジタルカメラの機構を必ずしも備えない装置にも適用することができる。すなわち、本発明を適用した様々な装置は、デジタルカメラの撮影画像と撮影情報とを同時に表示する装置であって、記憶手段に格納されている撮影画像と、画像撮影時に記録した位置情報及び方向情報を読み出し、これらを含む撮影情報とを同時に表示手段から表示する同時表示処理手段を備える。
【００２１】
ここで、同時表示処理手段が、撮影情報を、撮影画像と重ねて表示するか、又は撮影画像の近傍に表示し、その際、少なくとも該撮影情報の一部をアナログ針式で表示する構成でもよい。
【００２２】
上記装置において同時表示処理手段が、上記の位置情報が緯度及び経度の情報であって、上記の同時表示処理手段が、位置情報を数値で表示すると共に、上記の方向情報が画像撮影装置の方位又は仰角の少なくともいずれかであって、方向情報をアナログ針式で表示することもできる。
【００２３】
上記の同時表示処理手段を備えた装置（画像撮影装置も含む）に、ユーザが入力手段から入力した上記の撮影画像の表示順序に係る配列条件を受理し、配列条件に従って、少なくとも上記の方向情報に基づいて撮影画像の配列を設定する配列設定手段を備え、同時表示処理手段において撮影画像を表示する際に、設定された順序で表示する構成でもよい。
【００２４】
上記の同時表示処理手段を備えた装置（画像撮影装置も含む）に、ユーザが入力手段から入力した上記の撮影画像の検索条件を受理し、少なくとも上記の位置情報又は上記の方向情報について検索条件に一致する撮影画像を抽出する検索手段を備え、上記の同時表示処理手段において撮影画像を表示する際に、抽出された撮影画像を表示する構成でもよい。
【発明の効果】
【００２５】
本発明は、以上の構成を備えることにより、次の効果を奏する。
すなわち、本発明によれば、画像撮影時に撮影画像を表示すると同時に、その画像上や直近位置に、計測されている現在位置を表示すると共に、カメラの向きの情報をアナログ針式のメータ表示をすることができる。同じ位置から同じ方向の撮影を行いたい場合などに、撮影者は緯度経度の情報を参照して的確な位置に立ち、アナログ針を見ながら直感的に、正確に向き合わせを行うことができるようになる。特に近年、インターネット等で他人と写真を共有したり、他人の撮影画像と同様の画角の写真を撮る機会が増えており、そのような場合に本発明は特に効果を奏する。
【００２６】
また本発明によれば、撮影された画像を一覧表示する表示画面において、各画像上や直近位置に撮影位置を表示すると共に、その際のカメラの向き情報をアナログメータとして表示することができる。メータ針が各画像横に表示されているため、どの向きでどのような風景であるかが感覚的にとらえることができる。また、向きや位置による配列表示や、検索を可能として、撮影画像の活用方法を拡げることができる。
【図面の簡単な説明】
【００２７】
【図１】本発明の画像撮影装置の構成図である。
【図２】本発明による処理のフローチャートである。
【図３】実施例１に係る画面の表示例である。
【図４】本発明の実施例２に係る装置の構成図である。
【図５】本発明の実施例２に係る処理のフローチャートである。
【図６】本発明の実施例２に係る画面の表示例である。
【発明を実施するための形態】
【００２８】
以下、本発明の実施形態を、図面に示す実施例を基に説明する。なお、実施形態は下記に限定されるものではない。
（実施例１）
図１は本発明に係る画像撮影装置（１）の構成図である。本実施例では、本装置（１）を公知の携帯電話端末に実装する例として説明する。携帯電話端末は、周知のように様々な処理を行うＣＰＵ（１０）がメモリと協働して動作する。本実施例の必須な構成要素ではないが、本装置（１）はインターネット（２０）への接続が可能であり、そのための通信アダプタ（１１）を備えている。なお、通信アダプタ（１１）は、携帯電話網に接続するためのアンテナと通信モジュールからなり、実際には該携帯電話網におけるパケットが交換局を経てインターネットと送受信されるが、詳細な構成は説明を省略する。
【００２９】
本装置（１）には、ＣＭＯＳセンサ等と画像処理回路等からなるカメラ（１２）、ダイヤルボタンなどのキーボード（１３）、本装置（１）の姿勢を検出する姿勢センサ（１４）、ＧＰＳ衛星からの電波を受信するＧＰＳアンテナ（１５）、撮影しようとする被写体を表示したり、撮影済みの画像を表示するモニタ（１６）、撮影した画像などを保存する画像記憶部（１７）を備えている。
【００３０】
ＣＰＵ（１０）には、ＧＰＳアンテナ（１５）で受信した信号を処理するＧＰＳ処理部（１０１）、姿勢センサ（１４）の信号処理を行う姿勢センサ処理部（１０２）、カメラ（１２）で取得した画像データを処理する撮像処理部（１０３）、ＧＰＳ処理部（１０１）や姿勢センサ処理部（１０２）の動作を制御する情報取得制御部（１０４）、本発明に係る同時表示処理を行う同時表示処理部（１０５）の他、撮影した撮影画像データなどをインターネット（２０）に向けて送信する送信部（１０６）を備えてもよい。
【００３１】
本装置（１）は上記の構成により図２に示すフローチャートの処理を行う。
すなわち、本実施例をＣＰＵ（１０）に実行処理させるアプリケーションプログラムを起動すると、情報取得制御部（１０４）の制御により、位置情報取得手段による位置測定（Ｓ１０）と、方向情報取得手段による撮影方向測定（Ｓ１１）を行う。これらの順序は、撮影方向測定（Ｓ１１）が先、位置測定（Ｓ１０）が後でもよいし、ハードウェアの仕様により同時でもよい。
【００３２】
位置測定（Ｓ１０）においては、ＧＰＳ処理部（１０１）がＧＰＳアンテナ（１５）で複数の衛星からの信号を受信してその信号処理により現在地を算出する。本処理は公知である。
なお、携帯電話端末の場合には、基地局の情報など他の情報も用いて正確な現在地を算出している。本発明は位置情報取得手段として任意の技術を用いることができる。
【００３３】
撮影方向測定（Ｓ１１）では、姿勢センサ処理部（１０２）が、姿勢センサ（１４）から該情報を取得する。ここで、姿勢とは本装置（１）の傾きや方位、両端部間の段差など、所定の位置における角度情報又は偏差情報を指し、姿勢情報から撮影時の仰角、向きなどを測定して、本発明の方向情報として出力する。
姿勢センサ（１４）には公知の任意のセンサを用いることができる。
なお、方位に関しては、ＧＰＳ処理部（１０１）から取得することもできるが、ここでは機能的に分類して姿勢センサ処理部（１０２）と処理として説明する。
【００３４】
本装置（１）には、公知のデジタルカメラの機構であるカメラ（１２）及び撮像処理部（１０３）、モニタ（１６）、画像記憶部（１７）を備えている。ここでは、カメラ（１２）及び撮像処理部（１０３）からなるカメラ手段で撮影中の撮影画像や、又は過去に撮影されて画像記憶部（１７）に格納されている撮影画像を同時表示処理部（１０５）が表示手段であるモニタ（１６）から表示する。
【００３５】
本実施例では、カメラ手段から撮影画像を入力（Ｓ１２）し、さらに上記の位置情報及び方向情報を含む撮影情報を、撮影画像と重ねて表示（Ｓ１３）する。図３はこの時の本装置（１）の画面表示の説明図である。本図で示す装置（１）は、市販の携帯電話端末であり、大画面のタッチパネル式液晶画面を備えてモニタ（１６）であると同時に、キーボード（１３）としても作用する。そこで、画面上にカメラアイコン（１６０）を表示させ、この部位をタッチすることで、シャッターが切れるようになっている。
【００３６】
カメラアイコン（１６０）の上の画像領域（１６１）は、背面に設けられているカメラ（１２）で撮影中の画像であり、本装置（１）を動かすことで自由に構図を決めることができる。
画像領域（１６１）の上部には、撮影画像を透過する態様で撮影情報表示領域（１６２）を設けており、撮影者は撮影画像を見ながら、撮影情報を視認できるようにしている。
【００３７】
撮影情報表示領域では、右から順に方位（１６２ａ）、緯度・経度（１６２ｂ）、仰角（１６２ｃ）を表示している。特に本発明では、方位と仰角の表示にアナログ針式の表示を行っている点に特徴がある。
【００３８】
従来から、撮影した際の方位や仰角の情報を取得できる装置は知られていたが、撮影中にこれらを確認することは困難であり、撮影時にこれらの撮影情報を表示する好適な方法は提案されていなかった。
しかし、近年ではインターネットの普及によって撮影した画像を人に見せる機会が格段に増えていることや、デジタルカメラによって撮影済みの写真を容易に参照できるようになっている。その場合、過去に撮影した写真と同様の位置から同様の方向で撮影することで比較しやすくしたり、あるいは他の写真と異なる、所望の向きで撮影したい場合が多い。
【００３９】
このような要求に対して、従来のように撮影後に数値で情報を表示しても、カメラの構図を決める際には被写体の様子を見たり、周辺の状況に配慮して撮影しなければならないため、瞬時に撮影情報を理解することはできない。
一方、本発明では、例えば方位（１６２ａ）は北を上とするコンパス様の画像表示を行い、赤色の指針によってどの方位を向いているかを直感的にわかりやすく表示している。また、仰角（１６２ｃ）は水平方向からの角度を青色の指針によって表示することで、例えば正確に水平な撮影や、垂直上向き、垂直下向き、などの撮影も容易に行えるようにしている。特に、本発明に係るアナログ針式で仰角等を表示する方法は、撮影が不得手な者や、連続したパノラマ写真を撮影する場合には好適である。
本発明では撮影情報を撮影画像と同時に表示することを最低限の構成とし、さらに表示の一部をアナログ針式とすることを提案するものである。撮影情報としては、方位、仰角以外の情報、例えば、本装置の傾きや偏差情報など任意の情報を表示することができる。
【００４０】
緯度・経度（１６２ｂ）は数値で表示し、前回撮影した位置や、他人が撮影した位置と同位置で撮影する際の手がかりとすることができる。
なお、予め指定の撮影位置を緯度・経度を本装置（１）で定義しておき、測定中の位置との差分から指定の撮影位置の方向をアナログ針式で示すこともできる。そして、指定の撮影位置（差分が０）となったときには、その表示を行う。この方法によれば、撮影者が全く同じ緯度・経度に立つことが容易になる。
【００４１】
上記において、撮影情報表示領域（１６２）は透過して撮影画像に重なるように表示しているが、本発明では近傍に配置することもできる。また、配置位置は画像領域（１６１）の上でなくともよく、上下左右のいずれか、または自由に位置を変えられるようにしてもよい。さらに、本装置（１）の本体の向きに合わせて撮影情報の向きが自動的に変化するようにしてもよい。
【００４２】
撮影画像や撮影情報は撮影までの間、常時更新されていることが望ましく、両情報を同時表示（Ｓ１３）しながら、位置測定（Ｓ１０）以下の工程を繰り返し実行処理することができる。
なお、位置測定（Ｓ１０）にはより多くの時間を要するため、撮影方向測定（Ｓ１１）を繰り返す間の所定回数に一度測定する構成や、所定時間に一度測定する構成でもよい。
【００４３】
画像撮影装置（１）では、モニタ（１６）の撮影画像や撮影情報を見ながら、撮影者がカメラアイコン（１６０）等のシャッターを押すことによって撮影（Ｓ１４）を行う。画像が撮影されると、公知のように撮像処理部（１０３）が画像処理や圧縮処理を行い、画像記憶部（１７）に記憶（Ｓ１５）する。画像記憶部（１７）は本装置（１）に実装されたメモリや、本装置（１）に装着された外部メモリカードとして実現される。
なお、周知のようにデジタルカメラの撮影画像ではＥｘｉｆ(Exchangeable image file format)と呼ばれるフォーマットが広く使われており、本実施例においても、上記の撮影情報をこの方式で記録することができる。あるいは、画像ファイルとは別個のファイルで対応するデータファイルを用いても良い。
【００４４】
また、別の実施例として、画像を撮影（Ｓ１４）した後、画像記憶部（１７）への記録の有無に関わらず、送信部（１０６）の作用により電子メール形式に変換したり、公知のｆｔｐ（file transfer protocol)を用いた通信方法で、通信アダプタ（１１）からインターネット（２０）上の任意のサーバ装置や端末装置に送信することもできる。
【００４５】
（実施例２）
本発明の第２の実施例としては、撮影済みの撮影画像を閲覧する際に、撮影情報を分かりやすく表示することのできる装置を示す。
図４に示すように、本装置（２）は、実施例１の装置（１）にいくつかの機能を付加したものであって、ハードウェアは同一である。ＣＰＵ（１０）に画像情報読出処理部（１１０）を備えることが好ましい。
【００４６】
本構成における処理のフローチャートを図５に示す。
すなわち、まず画像記憶部（１７）に記憶された撮影画像データを画像情報読出処理部（１１０）において読み出す（Ｓ２０）。上記したように撮影情報をＥｘｉｆで記録してある場合には、画像情報読出処理部（１１０）において撮影画像データから撮影情報を抽出（Ｓ２１）することができる。
【００４７】
次いで、同時表示処理部（１０５）による表示（Ｓ２２）処理を行う。
このとき、表示する撮影画像が１枚の場合には、図３と同様の画面構成を用いることができる。本実施例では、多数の画像を一覧表示する構成について説明する。図６は一覧表示画面の一例である。
【００４８】
図のように、モニタ（１６）の左側に撮影画像を配列する撮影画像領域（１６３）と、各撮影画像の右側に対応する撮影情報を表示する撮影情報領域（１６４）を配置している。
撮影情報としては、上からタイトル（１６４ａ）、撮影日時（１６４ｂ）、位置情報である緯度、経度（１６４ｃ）を文字情報として表示し、それらの下に方向情報として方位（１６４ｄ）及び仰角（１６４ｅ）をアナログ針式で表示している。
【００４９】
各アナログ針式の表示態様は実施例１と同様であるが、一覧表示の際に各アナログメータを縦に並べることにより、方位や仰角の情報を比較しやすく、画像と共に直感的な把握が可能となる利点がある。
特に同じ位置から複数の撮影画像を並べた場合、方位が等しく、仰角が少しずつ異なる画像、仰角が等しく方位の異なる画像、というように静止画像でありながら空間をとらえやすくなる。
【００５０】
本実施例の構成を、デジタルカメラの機構を備えた画像撮影装置（２）において実施する場合には、撮影画像の確認時にどの方向の撮影が完了しているのか確認しやすい。例えば、同じ場所から複数の方向の撮影を行う場合には、赤色と青色の針の向きから、次にどのような方位と仰角をとればよいのかが、感覚的に分かる。すなわち、図６の例では位置が同一であることを確認した後、青針（仰角）がほぼ同じ向きであって、赤針（方位）が左方、下方、上方を向いている写真があるため、あとは右方を向いて撮影すれば、一周した写真が完成することがわかる。
【００５１】
カメラに切り換えて撮影する際には、方位を数値で覚えておく必要はなく、大体時計の２時方向で撮影すればよい、と視覚的に覚えておくことができるので、撮影者にとって負担を大きく軽減することができる。特に複数の写真を撮る場合などは、数値で覚えることは非常に難しく、本発明のアナログ針式による表示方法は格別の効果を有する。
【００５２】
本実施例の構成は、デジタルカメラの機構を持たない任意の装置においても適用することができる。
例えば、実施例１で説明したように、インターネット（２０）上のサーバ装置に画像を転送する場合、該サーバ装置のＷｅｂサービスとして本発明の構成を用い、各端末から画像を閲覧する際に上記表示方法を提供することができる。
その他、デジタルフォトフレームなど公知の画像閲覧専用の装置に用いることもできる。
【００５３】
本実施例においても、撮影情報のうちいずれの値をアナログ針式で表示するか、撮影画像と撮影情報の配置などは任意に変更することができる。
【００５４】
（実施例３）
本発明では、上記実施例２の構成に加えて一覧表示時の配列を、撮影情報に従って並べ替える構成をとることができる。
そのため、図４に示すようにＣＰＵ（１０）に配列設定処理部（１１１）を備えると共に、キーボード（１３）からの入力を可能とする。
【００５５】
具体的には、図６に示すように撮影画像領域（１６３）の上に配列を設定するためのボタンアイコン（１６５ａ）〜（１６５ｆ）を並べ、これらのアイコンを押下することで並べ替えることができる。
タイトル（１６５ａ）や日付（１６５ｂ）による並べ替えは公知であるが、本発明では方位（１６５ｃ）、仰角（１６５ｄ）、緯度（１６５ｅ）、経度（１６５ｆ）による並べ替えを可能にしている点に特徴がある。
【００５６】
まず方向情報によって並べ替えることで、方向に従って変わる被写体の状況を認識しやすくなる。同じ１地点からの風景であればパノラマのように写真を配列することができる。また、１つの物品や人物を対象とした場合には、各方向からの被写体の見え方を確認することができる。
従来、方向情報によって配列することは、手作業によって行うことはあっても簡便な方法で行うことは実現されておらず、本発明により新しい撮影画像の閲覧方法を提供することができる。
【００５７】
位置情報による配列も同様であり、緯度や経度を用いた配列によって同じ地点ごとに配列することや、同じ緯度の風景の比較などを行うことが容易となる。
さらに、複数のアイコンを押下することで組み合わせた配列を可能にしてもよい。例えば、緯度を選択した状態で経度を選択すれば、同じ緯度の中の近い経度のもの、すなわち、より近い地点ものを近接して並べることができる。
同様に、日付と緯度の組み合わせにより、同じ季節で異なる緯度の画像を並べたり、天体写真のように方位が重要な場合には、日付と方位の組み合わせなどによっても、有意義な配列が実現できる。
【００５８】
（実施例４）
本発明では、上記実施例２又は３の構成に加えて撮影情報に従った画像の検索を行うこともできる。
そのため、図４に示すようにＣＰＵ（１０）に検索処理部（１１２）を備えると共に、キーボード（１３）からの入力を可能とする。
【００５９】
コンピュータにおいて検索処理を行う構成については周知であるから説明を省略するが、本実施例では、キーボード（１３）によって検索したい事項を設定することで、該当する撮影画像を抽出し、その結果をモニタ上の撮影画像領域（１６３）に配列する。
【００６０】
例えば、タッチパネルのキーボード（１３）により、「北緯３４度〜３６度、東経１３８度〜１４０度」と設定し、検索処理部（１１２）で検索することにより、関東地方周辺の撮影画像を抽出することができる。
同様に、仰角「９０度前後」と設定し、検索することで上方を見上げた撮影画像だけを抽出することができる。
このような撮影画像の検索方法は、従来提供されておらず、撮影情報を含んだ撮影や表示を可能とする本発明の装置（１）（２）において、これらの検索方法を備えることは特に有効である。
【００６１】
本発明は以上の構成を備えるが、請求項に記載する範囲から逸脱しない限り任意に変更することができる。
本発明を応用する用途としては、次のようなものが考えられる。
まず、市民参加型の都市環境情報の収集システムに利用することができる。市民が居住地域で発見した危険箇所等（道路の陥没や落下しそうな看板など）を撮影し、位置と撮影方向を付与して行政の管理する同システムに送信する。行政では、市民から送信された写真を撮影位置、方向と共に一覧表示することにより、現場の状況を直感的に把握することができ、対策の優先度の決定などに寄与することができる。
また、このような情報収集システムでは、情報の信憑性が問題となるが、写真とカメラが自動的に付与する情報を用いることで、信頼性の高い情報を収集することができるようになる。
【００６２】
第２に、街の案内システムにおいて、撮影位置や方向の情報を含む多くの写真を共有サーバに蓄積することで、利用者がこれにアクセスすれば、各地点に関する情報を多く集めガイドとなる情報を容易に入手できるようになる。
【００６３】
第３に、写真の指導システムとして、撮影位置と撮影方向を写真と共に表示することができるので、プロの写真家や写真教室の教師による優れた写真のカメラアングルを真似て撮影を行うことができるようになる。
【符号の説明】
【００６４】
１    画像撮影装置
１０    ＣＰＵ
１１    通信アダプタ
１２    カメラ
１３    キーボード
１４    姿勢センサ
１５    ＧＰＳアンテナ
１６    モニタ
１７    画像記憶部
２０    インターネット
１０１    ＧＰＳ処理部
１０２    姿勢センサ処理部
１０３    撮像処理部
１０４    情報取得制御部
１０５    同時表示処理部
１０６  送信部
【図１】
2011193169.tif 000003
【図２】
2011193169.tif 000004
【図３】
2011193169.tif 000005
【図４】
2011193169.tif 000006
【図５】
2011193169.tif 000007
【図６】
2011193169.tif 000008